(57)【要約】【課題】第１の方向に光が照射される第１モードと、第１の方向とは異なる第２の方向に光が照射される第２モードとを瞬時に切り換える。【解決手段】光源1の上側に光源2を配置し、光源1,2の前側にリフレクタ3を配置し、光源1,2及びリフレクタ3の上側にリフレクタ4を配置し、光源1からの光を反射する楕円反射面3aをリフレクタ3に形成し、楕円反射面3aからの光を反射して照明装置の前側に照射する反射面4a1,4a2をリフレクタ4に形成し、光源2からの光を反射する双曲反射面3bをリフレクタ3に形成し、双曲反射面3bからの光を反射して照明装置の前下側に照射する反射面4b1,4b2をリフレクタ4に形成し、第１モードから第２モードへの切換時に光源1を点灯→消灯切り換えすると共に光源2を消灯→点灯切り換えし、第２モードから第１モードへの切換時に光源1を消灯→点灯切り換えすると共に光源2を点灯→消灯切り換えする。【選択図】図４
2009193795.tif 000002
【特許請求の範囲】
【請求項１】
概略点状の第１光源（１）の上側に概略点状の第２光源（２）を配置し、
第１光源（１）および第２光源（２）の前側に第１リフレクタ（３）を配置し、
第１光源（１）、第２光源（２）および第１リフレクタ（３）の上側に第２リフレクタ（４）を配置し、
第１光源（１）から放射された光を反射するための楕円反射面（３ａ）を第１リフレクタ（３）に形成し、
楕円反射面（３ａ）からの反射光を反射して照明装置の前側に照射するための第１放物反射面（４ａ１，４ａ２）を第２リフレクタ（４）に形成し、
楕円反射面（３ａ）の第１焦点（Ｆ３ａ１）上またはその近傍に第１光源（１）を配置すると共に、楕円反射面（３ａ）の第２焦点（Ｆ３ａ２）上またはその近傍に第１放物反射面（４ａ１，４ａ２）の焦点（Ｆ４ａ）を配置することにより、第２リフレクタ（４）の第１放物反射面（４ａ１，４ａ２）から照明装置の前側に概略平行な光を照射し、
第２光源（２）から放射された光を反射するための双曲反射面（３ｂ）を第１リフレクタ（３）に形成し、
双曲反射面（３ｂ）からの反射光を反射して照明装置の前下側に照射するための第２放物反射面（４ｂ１，４ｂ２）を第２リフレクタ（４）に形成し、
双曲反射面（３ｂ）によって反射された第２光源（２）からの光の光路が双曲反射面（３ｂ）の焦点（Ｆ３ｂ）上の仮想光源からの放射光の光路と一致するように第２光源（２）および双曲反射面（３ｂ）を配置すると共に、双曲反射面（３ｂ）の焦点（Ｆ３ｂ）上またはその近傍に第２放物反射面（４ｂ１，４ｂ２）の焦点（Ｆ４ｂ）を配置することにより、第２リフレクタ（４）の第２放物反射面（４ｂ１，４ｂ２）から照明装置の前下側に概略平行な光を照射し、
第１モード時に第１光源（１）を点灯すると共に第２光源（２）を消灯し、
第２モード時に第１光源（１）を消灯すると共に第２光源（２）を点灯し、
第１モードから第２モードへの切換時に第１光源（１）を点灯→消灯切り換えすると共に第２光源（２）を消灯→点灯切り換えし、
第２モードから第１モードへの切換時に第１光源（１）を消灯→点灯切り換えすると共に第２光源（２）を点灯→消灯切り換えすることを特徴とする照明装置。
【請求項２】
第２リフレクタ（４）の第１放物反射面（４ａ１，４ａ２）および第２放物反射面（４ｂ１，４ｂ２）にローレットカットを施したことを特徴とする請求項１に記載の照明装置。
【請求項３】
概略点状の第１光源（１）の上側に概略点状の第２光源（２）を配置し、
第１光源（１）および第２光源（２）の前側に第１リフレクタ（３）を配置し、
第１光源（１）、第２光源（２）および第１リフレクタ（３）の上側に第２リフレクタ（４）を配置し、
第１光源（１）から放射された光を反射するための第１楕円反射面（３ａ）を第１リフレクタ（３）に形成し、
第１楕円反射面（３ａ）からの反射光を反射して照明装置の前側に照射するための第２楕円反射面（１４ａ）を第２リフレクタ（４）に形成し、
第１楕円反射面（３ａ）の第１焦点（Ｆ３ａ１）上またはその近傍に第１光源（１）を配置すると共に、第１楕円反射面（３ａ）の第２焦点（Ｆ３ａ２）上またはその近傍に第２楕円反射面（１４ａ）の第１焦点（Ｆ１４ａ１）を配置することにより、第２リフレクタ（４）の第２楕円反射面（１４ａ）から照明装置の前側の第２楕円反射面（１４ａ）の第２焦点（Ｆ１４ａ２）に集光せしめられる光を照射し、
第２光源（２）から放射された光を反射するための双曲反射面（３ｂ）を第１リフレクタ（３）に形成し、
双曲反射面（３ｂ）からの反射光を反射して照明装置の前下側に照射するための第３楕円反射面（１４ｂ）を第２リフレクタ（４）に形成し、
双曲反射面（３ｂ）によって反射された第２光源（２）からの光の光路が双曲反射面（３ｂ）の焦点（Ｆ３ｂ）上の仮想光源からの放射光の光路と一致するように第２光源（２）および双曲反射面（３ｂ）を配置すると共に、双曲反射面（３ｂ）の焦点（Ｆ３ｂ）上またはその近傍に第３楕円反射面（１４ｂ）の第１焦点（Ｆ１４ｂ１）を配置することにより、第２リフレクタ（４）の第３楕円反射面（１４ｂ）から照明装置の前下側の第３楕円反射面（１４ｂ）の第２焦点（Ｆ１４ｂ２）に集光せしめられる光を照射し、
第１モード時に第１光源（１）を点灯すると共に第２光源（２）を消灯し、
第２モード時に第１光源（１）を消灯すると共に第２光源（２）を点灯し、
第１モードから第２モードへの切換時に第１光源（１）を点灯→消灯切り換えすると共に第２光源（２）を消灯→点灯切り換えし、
第２モードから第１モードへの切換時に第１光源（１）を消灯→点灯切り換えすると共に第２光源（２）を点灯→消灯切り換えすることを特徴とする照明装置。
【請求項４】
概略点状の第１光源（１）の上側に概略点状の第２光源（２）を配置し、
第１光源（１）および第２光源（２）の前側に第１リフレクタ（３）を配置し、
第１光源（１）、第２光源（２）および第１リフレクタ（３）の上側に第２リフレクタ（４）を配置し、
第１光源（１）から放射された光を反射するための楕円反射面（３ａ）を第１リフレクタ（３）に形成し、
楕円反射面（３ａ）からの反射光を反射して照明装置の前側に照射するための第１双曲反射面（２４ａ）を第２リフレクタ（４）に形成し、
楕円反射面（３ａ）の第１焦点（Ｆ３ａ１）上またはその近傍に第１光源（１）を配置すると共に、第１双曲反射面（２４ａ）によって反射された楕円反射面（３ａ）からの反射光の光路が第１双曲反射面（２４ａ）の焦点（Ｆ２４ａ）上の仮想光源からの放射光の光路と一致するように楕円反射面（３ａ）および第１双曲反射面（２４ａ）を配置することにより、第２リフレクタ（４）の第１双曲反射面（２４ａ）から照明装置の前側に放射光を照射し、
第２光源（２）から放射された光を反射するための第２双曲反射面（３ｂ）を第１リフレクタ（３）に形成し、
第２双曲反射面（３ｂ）からの反射光を反射して照明装置の前下側に照射するための第３双曲反射面（２４ｂ）を第２リフレクタ（４）に形成し、
第２双曲反射面（３ｂ）によって反射された第２光源（２）からの光の光路が第２双曲反射面（３ｂ）の焦点（Ｆ３ｂ）上の仮想光源からの放射光の光路と一致するように第２光源（２）および第２双曲反射面（３ｂ）を配置すると共に、第３双曲反射面（２４ｂ）によって反射された第２双曲反射面（３ｂ）からの反射光の光路が第３双曲反射面（２４ｂ）の焦点（Ｆ２４ｂ）上の仮想光源からの放射光の光路と一致するように第２双曲反射面（３ｂ）および第３双曲反射面（２４ｂ）を配置することにより、第２リフレクタ（４）の第３双曲反射面（２４ｂ）から照明装置の前下側に放射光を照射し、
第１モード時に第１光源（１）を点灯すると共に第２光源（２）を消灯し、
第２モード時に第１光源（１）を消灯すると共に第２光源（２）を点灯し、
第１モードから第２モードへの切換時に第１光源（１）を点灯→消灯切り換えすると共に第２光源（２）を消灯→点灯切り換えし、
第２モードから第１モードへの切換時に第１光源（１）を消灯→点灯切り換えすると共に第２光源（２）を点灯→消灯切り換えすることを特徴とする照明装置。
【発明の詳細な説明】
【技術分野】
【０００１】
本発明は、第１の方向に光が照射される第１モードと、第１の方向とは異なる第２の方向に光が照射される第２モードとを具備する照明装置に関する。
【０００２】
特に、本発明は、概略平行な光が第１の方向に照射される第１モードと、概略平行な光が第１の方向とは異なる第２の方向に照射される第２モードとを瞬時に切り換えることができる照明装置に関する。
【０００３】
更に、本発明は、集光せしめられる光が第１の方向に照射される第１モードと、集光せしめられる光が第１の方向とは異なる第２の方向に照射される第２モードとを瞬時に切り換えることができる照明装置に関する。
【０００４】
また、本発明は、放射光が第１の方向に照射される第１モードと、放射光が第１の方向とは異なる第２の方向に照射される第２モードとを瞬時に切り換えることができる照明装置に関する。
【背景技術】
【０００５】
従来から、概略平行な光が第１の方向に照射される第１モードと、概略平行な光が第１の方向とは異なる第２の方向に照射される第２モードとを具備する照明装置が知られている。この種の照明装置の例としては、例えば特開２００７−８０７５５号公報の図２に記載されたものがある。
【０００６】
特開２００７−８０７５５号公報の図２に記載された照明装置では、第１モード時に概略平行な光が上側に照射され、第２モード時に概略平行な光が左上側に照射される。
【０００７】
詳細には、特開２００７−８０７５５号公報の図２に記載された照明装置では、レンズ構造部を有する第２光学シートと光源との間に、光を通過させない反射部分と光を透過する開口部とを有する第１光学シートが配置されている。
【０００８】
更に、特開２００７−８０７５５号公報の図２に記載された照明装置では、概略平行な光が上側に照射される第１モード時に、第１光学シートの開口部が、第２光学シートのレンズ構造部の焦点位置に配置される。また、概略平行な光が左上側に照射される第２モード時に、第１光学シートの開口部が、第２光学シートのレンズ構造部の焦点位置からずれた位置に配置される。
【０００９】
ところで、特開２００７−８０７５５号公報の図２に記載された照明装置では、第１モードから第２モードへの切換時、あるいは、第２モードから第１モードへの切換時に、電磁石、ピエゾ素子または手動によって、第１光学シートが第２光学シートに対して移動せしめられる。
【００１０】
そのため、特開２００７−８０７５５号公報の図２に記載された照明装置では、概略平行な光が第１の方向に照射される第１モードと、概略平行な光が第１の方向とは異なる第２の方向に照射される第２モードとを瞬時に切り換えることができない。
【００１１】
【特許文献１】特開２００７−８０７５５号公報の図２
【発明の開示】
【発明が解決しようとする課題】
【００１２】
前記問題点に鑑み、本発明は、概略平行な光が第１の方向に照射される第１モードと、概略平行な光が第１の方向とは異なる第２の方向に照射される第２モードとを瞬時に切り換えることができる照明装置を提供することを目的とする。
【００１３】
更に、本発明は、集光せしめられる光が第１の方向に照射される第１モードと、集光せしめられる光が第１の方向とは異なる第２の方向に照射される第２モードとを瞬時に切り換えることができる照明装置を提供することを目的とする。
【００１４】
また、本発明は、放射光が第１の方向に照射される第１モードと、放射光が第１の方向とは異なる第２の方向に照射される第２モードとを瞬時に切り換えることができる照明装置を提供することを目的とする。
【課題を解決するための手段】
【００１５】
請求項１に記載の発明によれば、概略点状の第１光源（１）の上側に概略点状の第２光源（２）を配置し、第１光源（１）および第２光源（２）の前側に第１リフレクタ（３）を配置し、第１光源（１）、第２光源（２）および第１リフレクタ（３）の上側に第２リフレクタ（４）を配置し、第１光源（１）から放射された光を反射するための楕円反射面（３ａ）を第１リフレクタ（３）に形成し、楕円反射面（３ａ）からの反射光を反射して照明装置の前側に照射するための第１放物反射面（４ａ１，４ａ２）を第２リフレクタ（４）に形成し、楕円反射面（３ａ）の第１焦点（Ｆ３ａ１）上またはその近傍に第１光源（１）を配置すると共に、楕円反射面（３ａ）の第２焦点（Ｆ３ａ２）上またはその近傍に第１放物反射面（４ａ１，４ａ２）の焦点（Ｆ４ａ）を配置することにより、第２リフレクタ（４）の第１放物反射面（４ａ１，４ａ２）から照明装置の前側に概略平行な光を照射し、第２光源（２）から放射された光を反射するための双曲反射面（３ｂ）を第１リフレクタ（３）に形成し、双曲反射面（３ｂ）からの反射光を反射して照明装置の前下側に照射するための第２放物反射面（４ｂ１，４ｂ２）を第２リフレクタ（４）に形成し、双曲反射面（３ｂ）によって反射された第２光源（２）からの光の光路が双曲反射面（３ｂ）の焦点（Ｆ３ｂ）上の仮想光源からの放射光の光路と一致するように第２光源（２）および双曲反射面（３ｂ）を配置すると共に、双曲反射面（３ｂ）の焦点（Ｆ３ｂ）上またはその近傍に第２放物反射面（４ｂ１，４ｂ２）の焦点（Ｆ４ｂ）を配置することにより、第２リフレクタ（４）の第２放物反射面（４ｂ１，４ｂ２）から照明装置の前下側に概略平行な光を照射し、第１モード時に第１光源（１）を点灯すると共に第２光源（２）を消灯し、第２モード時に第１光源（１）を消灯すると共に第２光源（２）を点灯し、第１モードから第２モードへの切換時に第１光源（１）を点灯→消灯切り換えすると共に第２光源（２）を消灯→点灯切り換えし、第２モードから第１モードへの切換時に第１光源（１）を消灯→点灯切り換えすると共に第２光源（２）を点灯→消灯切り換えすることを特徴とする照明装置が提供される。
【００１６】
請求項２に記載の発明によれば、第２リフレクタ（４）の第１放物反射面（４ａ１，４ａ２）および第２放物反射面（４ｂ１，４ｂ２）にローレットカットを施したことを特徴とする請求項１に記載の照明装置が提供される。
【００１７】
請求項３に記載の発明によれば、概略点状の第１光源（１）の上側に概略点状の第２光源（２）を配置し、第１光源（１）および第２光源（２）の前側に第１リフレクタ（３）を配置し、第１光源（１）、第２光源（２）および第１リフレクタ（３）の上側に第２リフレクタ（４）を配置し、第１光源（１）から放射された光を反射するための第１楕円反射面（３ａ）を第１リフレクタ（３）に形成し、第１楕円反射面（３ａ）からの反射光を反射して照明装置の前側に照射するための第２楕円反射面（１４ａ）を第２リフレクタ（４）に形成し、第１楕円反射面（３ａ）の第１焦点（Ｆ３ａ１）上またはその近傍に第１光源（１）を配置すると共に、第１楕円反射面（３ａ）の第２焦点（Ｆ３ａ２）上またはその近傍に第２楕円反射面（１４ａ）の第１焦点（Ｆ１４ａ１）を配置することにより、第２リフレクタ（４）の第２楕円反射面（１４ａ）から照明装置の前側の第２楕円反射面（１４ａ）の第２焦点（Ｆ１４ａ２）に集光せしめられる光を照射し、第２光源（２）から放射された光を反射するための双曲反射面（３ｂ）を第１リフレクタ（３）に形成し、双曲反射面（３ｂ）からの反射光を反射して照明装置の前下側に照射するための第３楕円反射面（１４ｂ）を第２リフレクタ（４）に形成し、双曲反射面（３ｂ）によって反射された第２光源（２）からの光の光路が双曲反射面（３ｂ）の焦点（Ｆ３ｂ）上の仮想光源からの放射光の光路と一致するように第２光源（２）および双曲反射面（３ｂ）を配置すると共に、双曲反射面（３ｂ）の焦点（Ｆ３ｂ）上またはその近傍に第３楕円反射面（１４ｂ）の第１焦点（Ｆ１４ｂ１）を配置することにより、第２リフレクタ（４）の第３楕円反射面（１４ｂ）から照明装置の前下側の第３楕円反射面（１４ｂ）の第２焦点（Ｆ１４ｂ２）に集光せしめられる光を照射し、第１モード時に第１光源（１）を点灯すると共に第２光源（２）を消灯し、第２モード時に第１光源（１）を消灯すると共に第２光源（２）を点灯し、第１モードから第２モードへの切換時に第１光源（１）を点灯→消灯切り換えすると共に第２光源（２）を消灯→点灯切り換えし、第２モードから第１モードへの切換時に第１光源（１）を消灯→点灯切り換えすると共に第２光源（２）を点灯→消灯切り換えすることを特徴とする照明装置が提供される。
【００１８】
請求項４に記載の発明によれば、概略点状の第１光源（１）の上側に概略点状の第２光源（２）を配置し、第１光源（１）および第２光源（２）の前側に第１リフレクタ（３）を配置し、第１光源（１）、第２光源（２）および第１リフレクタ（３）の上側に第２リフレクタ（４）を配置し、第１光源（１）から放射された光を反射するための楕円反射面（３ａ）を第１リフレクタ（３）に形成し、楕円反射面（３ａ）からの反射光を反射して照明装置の前側に照射するための第１双曲反射面（２４ａ）を第２リフレクタ（４）に形成し、楕円反射面（３ａ）の第１焦点（Ｆ３ａ１）上またはその近傍に第１光源（１）を配置すると共に、第１双曲反射面（２４ａ）によって反射された楕円反射面（３ａ）からの反射光の光路が第１双曲反射面（２４ａ）の焦点（Ｆ２４ａ）上の仮想光源からの放射光の光路と一致するように楕円反射面（３ａ）および第１双曲反射面（２４ａ）を配置することにより、第２リフレクタ（４）の第１双曲反射面（２４ａ）から照明装置の前側に放射光を照射し、第２光源（２）から放射された光を反射するための第２双曲反射面（３ｂ）を第１リフレクタ（３）に形成し、第２双曲反射面（３ｂ）からの反射光を反射して照明装置の前下側に照射するための第３双曲反射面（２４ｂ）を第２リフレクタ（４）に形成し、第２双曲反射面（３ｂ）によって反射された第２光源（２）からの光の光路が第２双曲反射面（３ｂ）の焦点（Ｆ３ｂ）上の仮想光源からの放射光の光路と一致するように第２光源（２）および第２双曲反射面（３ｂ）を配置すると共に、第３双曲反射面（２４ｂ）によって反射された第２双曲反射面（３ｂ）からの反射光の光路が第３双曲反射面（２４ｂ）の焦点（Ｆ２４ｂ）上の仮想光源からの放射光の光路と一致するように第２双曲反射面（３ｂ）および第３双曲反射面（２４ｂ）を配置することにより、第２リフレクタ（４）の第３双曲反射面（２４ｂ）から照明装置の前下側に放射光を照射し、第１モード時に第１光源（１）を点灯すると共に第２光源（２）を消灯し、第２モード時に第１光源（１）を消灯すると共に第２光源（２）を点灯し、第１モードから第２モードへの切換時に第１光源（１）を点灯→消灯切り換えすると共に第２光源（２）を消灯→点灯切り換えし、第２モードから第１モードへの切換時に第１光源（１）を消灯→点灯切り換えすると共に第２光源（２）を点灯→消灯切り換えすることを特徴とする照明装置が提供される。
【発明の効果】
【００１９】
請求項１に記載の照明装置では、概略点状の第１光源（１）の上側に概略点状の第２光源（２）が配置されている。また、第１光源（１）および第２光源（２）の前側に第１リフレクタ（３）が配置されている。更に、第１光源（１）、第２光源（２）および第１リフレクタ（３）の上側に第２リフレクタ（４）が配置されている。
【００２０】
また、請求項１に記載の照明装置では、第１光源（１）から放射された光を反射するための楕円反射面（３ａ）が第１リフレクタ（３）に形成されている。更に、楕円反射面（３ａ）からの反射光を反射して照明装置の前側に照射するための第１放物反射面（４ａ１，４ａ２）が第２リフレクタ（４）に形成されている。
【００２１】
詳細には、請求項１に記載の照明装置では、楕円反射面（３ａ）の第１焦点（Ｆ３ａ１）上またはその近傍に第１光源（１）を配置すると共に、楕円反射面（３ａ）の第２焦点（Ｆ３ａ２）上またはその近傍に第１放物反射面（４ａ１，４ａ２）の焦点（Ｆ４ａ）を配置することにより、第２リフレクタ（４）の第１放物反射面（４ａ１，４ａ２）から照明装置の前側に概略平行な光が照射される。
【００２２】
更に、請求項１に記載の照明装置では、第２光源（２）から放射された光を反射するための双曲反射面（３ｂ）が第１リフレクタ（３）に形成されている。また、双曲反射面（３ｂ）からの反射光を反射して照明装置の前下側に照射するための第２放物反射面（４ｂ１，４ｂ２）が第２リフレクタ（４）に形成されている。
【００２３】
詳細には、請求項１に記載の照明装置では、双曲反射面（３ｂ）によって反射された第２光源（２）からの光の光路が双曲反射面（３ｂ）の焦点（Ｆ３ｂ）上の仮想光源からの放射光の光路と一致するように第２光源（２）および双曲反射面（３ｂ）を配置すると共に、双曲反射面（３ｂ）の焦点（Ｆ３ｂ）上またはその近傍に第２放物反射面（４ｂ１，４ｂ２）の焦点（Ｆ４ｂ）を配置することにより、第２リフレクタ（４）の第２放物反射面（４ｂ１，４ｂ２）から照明装置の前下側に概略平行な光が照射される。
【００２４】
また、請求項１に記載の照明装置では、第１モード時に第１光源（１）が点灯されると共に、第２光源（２）が消灯される。更に、第２モード時に第１光源（１）が消灯されると共に、第２光源（２）が点灯される。
【００２５】
つまり、請求項１に記載の照明装置では、第１モード時に第２リフレクタ（４）の第１放物反射面（４ａ１，４ａ２）から照明装置の前側に概略平行な光が照射される。また、第２モード時に第２リフレクタ（４）の第２放物反射面（４ｂ１，４ｂ２）から照明装置の前下側に概略平行な光が照射される。
【００２６】
更に、請求項１に記載の照明装置では、第１モードから第２モードへの切換時に、第１光源（１）が点灯→消灯切り換えされると共に、第２光源（２）が消灯→点灯切り換えされる。更に、第２モードから第１モードへの切換時に、第１光源（１）が消灯→点灯切り換えされると共に、第２光源（２）が点灯→消灯切り換えされる。
【００２７】
そのため、請求項１に記載の照明装置によれば、概略平行な光が第１の方向（照明装置の前側）に照射される第１モードと、概略平行な光が第１の方向とは異なる第２の方向（照明装置の前下側）に照射される第２モードとを瞬時に切り換えることができる。
【００２８】
請求項２に記載の照明装置では、第２リフレクタ（４）の第１放物反射面（４ａ１，４ａ２）および第２放物反射面（４ｂ１，４ｂ２）にローレットカットが施されている。そのため、請求項２に記載の照明装置によれば、第１モード時に第２リフレクタ（４）の第１放物反射面（４ａ１，４ａ２）から第１の方向（照明装置の前側）に照射される光に平行ではない光を含めることができ、第２モード時に第２リフレクタ（４）の第２放物反射面（４ｂ１，４ｂ２）から第２の方向（照明装置の前下側）に照射される光に平行ではない光を含めることができる。
【００２９】
請求項３に記載の照明装置では、概略点状の第１光源（１）の上側に概略点状の第２光源（２）が配置されている。また、第１光源（１）および第２光源（２）の前側に第１リフレクタ（３）が配置されている。更に、第１光源（１）、第２光源（２）および第１リフレクタ（３）の上側に第２リフレクタ（４）が配置されている。
【００３０】
また、請求項３に記載の照明装置では、第１光源（１）から放射された光を反射するための第１楕円反射面（３ａ）が第１リフレクタ（３）に形成されている。更に、第１楕円反射面（３ａ）からの反射光を反射して照明装置の前側に照射するための第２楕円反射面（１４ａ）が第２リフレクタ（４）に形成されている。
【００３１】
詳細には、請求項３に記載の照明装置では、第１楕円反射面（３ａ）の第１焦点（Ｆ３ａ１）上またはその近傍に第１光源（１）を配置すると共に、第１楕円反射面（３ａ）の第２焦点（Ｆ３ａ２）上またはその近傍に第２楕円反射面（１４ａ）の第１焦点（Ｆ１４ａ１）を配置することにより、第２リフレクタ（４）の第２楕円反射面（１４ａ）から照明装置の前側の第２楕円反射面（１４ａ）の第２焦点（Ｆ１４ａ２）に集光せしめられる光が照射される。
【００３２】
更に、請求項３に記載の照明装置では、第２光源（２）から放射された光を反射するための双曲反射面（３ｂ）が第１リフレクタ（３）に形成されている。また、双曲反射面（３ｂ）からの反射光を反射して照明装置の前下側に照射するための第３楕円反射面（１４ｂ）が第２リフレクタ（４）に形成されている。
【００３３】
詳細には、請求項３に記載の照明装置では、双曲反射面（３ｂ）によって反射された第２光源（２）からの光の光路が双曲反射面（３ｂ）の焦点（Ｆ３ｂ）上の仮想光源からの放射光の光路と一致するように第２光源（２）および双曲反射面（３ｂ）を配置すると共に、双曲反射面（３ｂ）の焦点（Ｆ３ｂ）上またはその近傍に第３楕円反射面（１４ｂ）の第１焦点（Ｆ１４ｂ１）を配置することにより、第２リフレクタ（４）の第３楕円反射面（１４ｂ）から照明装置の前下側の第３楕円反射面（１４ｂ）の第２焦点（Ｆ１４ｂ２）に集光せしめられる光が照射される。
【００３４】
また、請求項３に記載の照明装置では、第１モード時に第１光源（１）が点灯されると共に、第２光源（２）が消灯される。更に、第２モード時に第１光源（１）が消灯されると共に、第２光源（２）が点灯される。
【００３５】
つまり、請求項３に記載の照明装置では、第１モード時に第２リフレクタ（４）の第２楕円反射面（１４ａ）から照明装置の前側に集光せしめられる光が照射される。また、第２モード時に第２リフレクタ（４）の第３楕円反射面（１４ｂ）から照明装置の前下側に集光せしめられる光が照射される。
【００３６】
更に、請求項３に記載の照明装置では、第１モードから第２モードへの切換時に、第１光源（１）が点灯→消灯切り換えされると共に、第２光源（２）が消灯→点灯切り換えされる。更に、第２モードから第１モードへの切換時に、第１光源（１）が消灯→点灯切り換えされると共に、第２光源（２）が点灯→消灯切り換えされる。
【００３７】
そのため、請求項３に記載の照明装置によれば、集光せしめられる光が第１の方向（照明装置の前側）に照射される第１モードと、集光せしめられる光が第１の方向とは異なる第２の方向（照明装置の前下側）に照射される第２モードとを瞬時に切り換えることができる。
【００３８】
請求項４に記載の照明装置では、概略点状の第１光源（１）の上側に概略点状の第２光源（２）が配置されている。また、第１光源（１）および第２光源（２）の前側に第１リフレクタ（３）が配置されている。更に、第１光源（１）、第２光源（２）および第１リフレクタ（３）の上側に第２リフレクタ（４）が配置されている。
【００３９】
また、請求項４に記載の照明装置では、第１光源（１）から放射された光を反射するための楕円反射面（３ａ）が第１リフレクタ（３）に形成されている。更に、楕円反射面（３ａ）からの反射光を反射して照明装置の前側に照射するための第１双曲反射面（２４ａ）が第２リフレクタ（４）に形成されている。
【００４０】
詳細には、請求項４に記載の照明装置では、楕円反射面（３ａ）の第１焦点（Ｆ３ａ１）上またはその近傍に第１光源（１）を配置すると共に、第１双曲反射面（２４ａ）によって反射された楕円反射面（３ａ）からの反射光の光路が第１双曲反射面（２４ａ）の焦点（Ｆ２４ａ）上の仮想光源からの放射光の光路と一致するように楕円反射面（３ａ）および第１双曲反射面（２４ａ）を配置することにより、第２リフレクタ（４）の第１双曲反射面（２４ａ）から照明装置の前側に放射光が照射される。
【００４１】
更に、請求項４に記載の照明装置では、第２光源（２）から放射された光を反射するための第２双曲反射面（３ｂ）が第１リフレクタ（３）に形成されている。また、第２双曲反射面（３ｂ）からの反射光を反射して照明装置の前下側に照射するための第３双曲反射面（２４ｂ）が第２リフレクタ（４）に形成されている。
【００４２】
詳細には、請求項４に記載の照明装置では、第２双曲反射面（３ｂ）によって反射された第２光源（２）からの光の光路が第２双曲反射面（３ｂ）の焦点（Ｆ３ｂ）上の仮想光源からの放射光の光路と一致するように第２光源（２）および第２双曲反射面（３ｂ）を配置すると共に、第３双曲反射面（２４ｂ）によって反射された第２双曲反射面（３ｂ）からの反射光の光路が第３双曲反射面（２４ｂ）の焦点（Ｆ２４ｂ）上の仮想光源からの放射光の光路と一致するように第２双曲反射面（３ｂ）および第３双曲反射面（２４ｂ）を配置することにより、第２リフレクタ（４）の第３双曲反射面（２４ｂ）から照明装置の前下側に放射光が照射される。
【００４３】
また、請求項４に記載の照明装置では、第１モード時に第１光源（１）が点灯されると共に、第２光源（２）が消灯される。更に、第２モード時に第１光源（１）が消灯されると共に、第２光源（２）が点灯される。
【００４４】
つまり、請求項４に記載の照明装置では、第１モード時に第２リフレクタ（４）の第１双曲反射面（２４ａ）から照明装置の前側に放射光が照射される。また、第２モード時に第２リフレクタ（４）の第３双曲反射面（２４ｂ）から照明装置の前下側に放射光が照射される。
【００４５】
更に、請求項４に記載の照明装置では、第１モードから第２モードへの切換時に、第１光源（１）が点灯→消灯切り換えされると共に、第２光源（２）が消灯→点灯切り換えされる。更に、第２モードから第１モードへの切換時に、第１光源（１）が消灯→点灯切り換えされると共に、第２光源（２）が点灯→消灯切り換えされる。
【００４６】
そのため、請求項４に記載の照明装置によれば、放射光が第１の方向（照明装置の前側）に照射される第１モードと、放射光が第１の方向とは異なる第２の方向（照明装置の前下側）に照射される第２モードとを瞬時に切り換えることができる。
【発明を実施するための最良の形態】
【００４７】
以下、本発明の照明装置の第１の実施形態について説明する。図１は第１の実施形態の照明装置の正面図、図２は第１の実施形態の照明装置の斜視図である。第１の実施形態の照明装置では、概略同様に構成された例えば３個のランプ部１００，１０１，１０２が設けられている。
【００４８】
図３は図１のＡ−Ａ線に沿ったランプ部１０１の鉛直断面図である。図４は図３に示す断面内における光路を示した図である。詳細には、図４（Ａ）は例えばチップＬＥＤのような光源１から照射された光Ｌ１１，Ｌ１２の光路を示した図、図４（Ｂ）は例えば砲弾型ＬＥＤのような光源２から照射された光Ｌ２１，Ｌ２２の光路を示した図である。
【００４９】
第１の実施形態の照明装置では、図３に示すように、概略点状の発光部を有する光源１の上側（図３の上側）に、概略点状の発光部を有する光源２が配置されている。また、光源１および光源２の前側（図３の左側）にリフレクタ３が配置されている。更に、光源１，２およびリフレクタ３の上側（図３の上側）にリフレクタ４が配置されている。第１の実施形態の照明装置では、図１、図２および図３に示すように、リフレクタ３とリフレクタ４とが同一の部材によって構成されているが、第２の実施形態の照明装置では、代わりに、リフレクタ３とリフレクタ４とを別個の部材によって構成することも可能である。
【００５０】
また、第１の実施形態の照明装置では、図３および図４（Ａ）に示すように、光源１から放射された光を反射するための楕円反射面３ａがリフレクタ３に形成されている。更に、楕円反射面３ａからの反射光を反射して照明装置の前側（図３および図４（Ａ）の左側）に照射するための放物反射面４ａ１，４ａ２がリフレクタ４に形成されている。
【００５１】
詳細には、第１の実施形態の照明装置では、図３および図４（Ａ）に示すように、楕円反射面３ａの第１焦点Ｆ３ａ１上またはその近傍に光源１が配置されている。更に、楕円反射面３ａの第２焦点Ｆ３ａ２上またはその近傍に放物反射面４ａ１，４ａ２の焦点Ｆ４ａが配置されている。
【００５２】
その結果、第１の実施形態の照明装置では、図３および図４（Ａ）に示すように、光源１が点灯されている時に、光源１の主光軸線ＣＬ１と小さい角度をなして光源１から照射された光が、まず最初に、リフレクタ３の楕円反射面３ａによって反射され、焦点Ｆ３ａ２，Ｆ４ａ上またはその近傍を通過する。次いで、リフレクタ４の放物反射面４ａ１によって反射され、概略水平な光Ｌ１１となって照明装置の前側（図３および図４（Ａ）の左側）に照射される。
【００５３】
更に、第１の実施形態の照明装置では、図３および図４（Ａ）に示すように、光源１が点灯されている時に、光源１の主光軸線ＣＬ１と大きい角度をなして光源１から照射された光が、まず最初に、リフレクタ３の楕円反射面３ａによって反射され、焦点Ｆ３ａ２，Ｆ４ａ上またはその近傍を通過する。次いで、リフレクタ４の放物反射面４ａ２によって反射され、光Ｌ１１と概略平行な光Ｌ１２となって照明装置の前側（図３および図４（Ａ）の左側）に照射される。
【００５４】
つまり、第１の実施形態の照明装置では、図３および図４（Ａ）に示すように、光源１が点灯されている時に、リフレクタ４の放物反射面４ａ１，４ａ２から照明装置の前側（図３および図４（Ａ）の左側）に概略平行な光Ｌ１１，Ｌ１２が照射される。
【００５５】
第１の実施形態の照明装置では、図３に示すように、所定の直線を中心に楕円弧を回転させることにより得られる回転楕円面によってリフレクタ３の楕円反射面３ａが構成されているが、第３の実施形態の照明装置では、代わりに、図３に示す楕円弧を図３の手前−奥側方向（図１の左右方向、照明装置の左右方向）にスイープすることにより得られる楕円柱面よってリフレクタ３の楕円反射面３ａを構成し、複数の光源１を図３の手前−奥側方向（図１の左右方向、照明装置の左右方向）に配列することも可能である。
【００５６】
また、第１の実施形態の照明装置では、図３に示すように、所定の軸線を中心に放物線を回転させることにより得られる回転放物面によってリフレクタ４の放物反射面４ａ１，４ａ２が構成されているが、第３の実施形態の照明装置では、代わりに、図３に示す放物線を図３の手前−奥側方向（図１の左右方向、照明装置の左右方向）にスイープすることにより得られる放物柱面よってリフレクタ４の放物反射面４ａ１，４ａ２を構成することも可能である。
【００５７】
更に、第１の実施形態の照明装置では、図３および図４（Ｂ）に示すように、光源２から放射された光を反射するための双曲反射面３ｂがリフレクタ３に形成されている。また、双曲反射面３ｂからの反射光を反射して照明装置の前下側（図３および図４（Ｂ）の左下側）に照射するための放物反射面４ｂ１，４ｂ２がリフレクタ４に形成されている。
【００５８】
詳細には、第１の実施形態の照明装置では、図３および図４（Ｂ）に示すように、双曲反射面３ｂによって反射された光源２からの光の光路が双曲反射面３ｂの焦点Ｆ３ｂ上の仮想光源からの放射光の光路と一致するように光源２および双曲反射面３ｂが配置されている。更に、双曲反射面３ｂの焦点Ｆ３ｂ上またはその近傍に放物反射面４ｂ１，４ｂ２の焦点Ｆ４ｂが配置されている。
【００５９】
その結果、第１の実施形態の照明装置では、図３および図４（Ｂ）に示すように、光源２が点灯されている時に、光源２の主光軸線ＣＬ２と小さい角度をなして光源２から照射された光が、まず最初に、リフレクタ３の双曲反射面３ｂによって反射される。次いで、リフレクタ４の放物反射面４ｂ１によって反射され、放物反射面４ｂ１からの反射光Ｌ２１が、照明装置の前下側（図３および図４（Ｂ）の左下側）に照射される。
【００６０】
更に、第１の実施形態の照明装置では、図３および図４（Ｂ）に示すように、光源２が点灯されている時に、光源２の主光軸線ＣＬ２と大きい角度をなして光源２から照射された光が、まず最初に、リフレクタ３の双曲反射面３ｂによって反射される。次いで、リフレクタ４の放物反射面４ｂ２によって反射され、光Ｌ２１と概略平行な光Ｌ２２となって照明装置の前下側（図３および図４（Ｂ）の左下側）に照射される。
【００６１】
つまり、第１の実施形態の照明装置では、図３および図４（Ｂ）に示すように、光源２が点灯されている時に、リフレクタ４の放物反射面４ｂ１，４ｂ２から照明装置の前下側（図３および図４（Ｂ）の左下側）に概略平行な光Ｌ２１，Ｌ２２が照射される。
【００６２】
第１の実施形態の照明装置では、図３に示すように、所定の軸線を中心に双曲線を回転させることにより得られる回転双曲面によってリフレクタ３の双曲反射面３ｂが構成されているが、第３の実施形態の照明装置では、代わりに、図３に示す双曲線を図３の手前−奥側方向（図１の左右方向、照明装置の左右方向）にスイープすることにより得られる双曲柱面よってリフレクタ３の双曲反射面３ｂを構成し、複数の光源２を図３の手前−奥側方向（図１の左右方向、照明装置の左右方向）に配列することも可能である。
【００６３】
また、第１の実施形態の照明装置では、図３に示すように、所定の軸線を中心に放物線を回転させることにより得られる回転放物面によってリフレクタ４の放物反射面４ｂ１，４ｂ２が構成されているが、第３の実施形態の照明装置では、代わりに、図３に示す放物線を図３の手前−奥側方向（図１の左右方向、照明装置の左右方向）にスイープすることにより得られる放物柱面よってリフレクタ４の放物反射面４ｂ１，４ｂ２を構成することも可能である。
【００６４】
また、第１の実施形態の照明装置では、第１モード時に光源１が点灯されると共に、光源２が消灯される。更に、第２モード時に光源１が消灯されると共に、光源２が点灯される。第１の実施形態の照明装置の変形例では、第１モードおよび第２モードの他に、光源１および光源２が共に点灯される第３モードを追加することも可能である。
【００６５】
つまり、第１の実施形態の照明装置では、第１モード時にリフレクタ４の放物反射面４ａ１，４ａ２から照明装置の前側（図４（Ａ）の左側）に概略平行な光Ｌ１１，Ｌ１２が照射される。また、第２モード時にリフレクタ４の放物反射面４ｂ１，４ｂ２から照明装置の前下側（図４（Ｂ）の左下側）に概略平行な光Ｌ２１，Ｌ２２が照射される。
【００６６】
更に、第１の実施形態の照明装置では、第１モードから第２モードへの切換時に、光源１がターンオフ（点灯→消灯切り換え）されると共に、光源２がターンオン（消灯→点灯切り換え）される。更に、第２モードから第１モードへの切換時に、光源１がターンオン（消灯→点灯切り換え）されると共に、光源２がターンオフ（点灯→消灯切り換え）される。
【００６７】
そのため、第１の実施形態の照明装置によれば、概略平行な光Ｌ１１，Ｌ１２が第１の方向（照明装置の前側、図４（Ａ）の左側）に照射される第１モードと、概略平行な光Ｌ２１，Ｌ２２が第１の方向とは異なる第２の方向（照明装置の前下側、図４（Ｂ）の左下側）に照射される第２モードとを瞬時に切り換えることができる。つまり、第１の実施形態の照明装置によれば、第１モード時の配光パターンと、その配光パターンとは異なる第２モード時の配光パターンとを瞬時に切り換えることができる。
【００６８】
第１の実施形態の照明装置では、リフレクタ４の放物反射面４ａ１，４ａ２および放物反射面４ｂ１，４ｂ２にローレットカットが施されていないが、第４の実施形態の照明装置では、リフレクタ４の放物反射面４ａ１，４ａ２および放物反射面４ｂ１，４ｂ２に例えば円形ローレットカット、多角ローレットカット等のようなローレットカットを施すことも可能である。第４の実施形態の照明装置によれば、第１モード時にリフレクタ４の放物反射面４ａ１，４ａ２から第１の方向（照明装置の前側、図４（Ａ）の左側）に照射される光に平行ではない光を含めることができ、第２モード時にリフレクタ４の放物反射面４ｂ１，４ｂ２から第２の方向（照明装置の前下側、図４（Ｂ）の左下側）に照射される光に平行ではない光を含めることができる。
【００６９】
以下、本発明の照明装置の第５の実施形態について説明する。第５の実施形態の照明装置は、後述する点を除き、上述した第１の実施形態の照明装置とほぼ同様に構成されている。従って、第５の実施形態の照明装置によれば、後述する点を除き、上述した第１の実施形態の照明装置とほぼ同様の効果を奏することができる。
【００７０】
図５は第５の実施形態の照明装置のランプ部１０１の鉛直断面図である。図６は図５に示す断面内における光路を示した図である。詳細には、図６（Ａ）は例えばチップＬＥＤのような光源１から照射された光Ｌ１１１，Ｌ１１２の光路を示した図、図６（Ｂ）は例えば砲弾型ＬＥＤのような光源２から照射された光Ｌ１２１，Ｌ１２２の光路を示した図である。
【００７１】
第１の実施形態の照明装置では、図３および図４（Ａ）に示すように、リフレクタ３の楕円反射面３ａからの反射光を反射して照明装置の前側（図３および図４（Ａ）の左側）に照射するための放物反射面４ａ１，４ａ２がリフレクタ４に形成されているが、第５の実施形態の照明装置では、図５および図６（Ａ）に示すように、リフレクタ３の楕円反射面３ａからの反射光を反射して照明装置の前側（図５および図６（Ａ）の左側）に照射するための楕円反射面１４ａがリフレクタ４に形成されている。
【００７２】
詳細には、第５の実施形態の照明装置では、図５および図６（Ａ）に示すように、楕円反射面３ａの第１焦点Ｆ３ａ１上またはその近傍に光源１が配置されている。更に、楕円反射面３ａの第２焦点Ｆ３ａ２上またはその近傍に楕円反射面１４ａの第１焦点Ｆ１４ａ１が配置されている。
【００７３】
その結果、第５の実施形態の照明装置では、図５および図６（Ａ）に示すように、光源１が点灯されている時に、光源１の主光軸線ＣＬ１と小さい角度をなして光源１から照射された光が、まず最初に、リフレクタ３の楕円反射面３ａによって反射され、焦点Ｆ３ａ２，Ｆ１４ａ１上またはその近傍を通過する。次いで、リフレクタ４の楕円反射面１４ａによって反射され、楕円反射面１４ａからの反射光Ｌ１１１が照明装置の前側（図５および図６（Ａ）の左側）に照射される。
【００７４】
更に、第５の実施形態の照明装置では、図５および図６（Ａ）に示すように、光源１が点灯されている時に、光源１の主光軸線ＣＬ１と大きい角度をなして光源１から照射された光が、まず最初に、リフレクタ３の楕円反射面３ａによって反射され、焦点Ｆ３ａ２，Ｆ１４ａ１上またはその近傍を通過する。次いで、リフレクタ４の楕円反射面１４ａによって反射され、楕円反射面１４ａからの反射光Ｌ１１２が照明装置の前側（図５および図６（Ａ）の左側）に照射される。
【００７５】
つまり、第５の実施形態の照明装置では、図５および図６（Ａ）に示すように、光源１が点灯されている時に、リフレクタ４の楕円反射面１４ａから照明装置の前側（図５および図６（Ａ）の左側）の楕円反射面１４ａの第２焦点Ｆ１４ａ２に集光せしめられる光Ｌ１１１，Ｌ１１２が照射される。
【００７６】
第５の実施形態の照明装置では、図５に示すように、所定の軸線を中心に楕円弧を回転させることにより得られる回転楕円面によってリフレクタ３の楕円反射面３ａが構成されているが、第６の実施形態の照明装置では、代わりに、図５に示す楕円弧を図５の手前−奥側方向（図１の左右方向、照明装置の左右方向）にスイープすることにより得られる楕円柱面よってリフレクタ３の楕円反射面３ａを構成し、複数の光源１を図５の手前−奥側方向（図１の左右方向、照明装置の左右方向）に配列することも可能である。
【００７７】
また、第５の実施形態の照明装置では、図５に示すように、所定の軸線を中心に楕円弧を回転させることにより得られる回転楕円面によってリフレクタ４の楕円反射面１４ａが構成されているが、第６の実施形態の照明装置では、代わりに、図５に示す楕円弧を図５の手前−奥側方向（図１の左右方向、照明装置の左右方向）にスイープすることにより得られる楕円柱面よってリフレクタ４の楕円反射面１４ａを構成することも可能である。
【００７８】
更に、第１の実施形態の照明装置では、図３および図４（Ｂ）に示すように、双曲反射面３ｂからの反射光を反射して照明装置の前下側に照射するための放物反射面４ｂ１，４ｂ２がリフレクタ４に形成されているが、第５の実施形態の照明装置では、図５および図６（Ｂ）に示すように、双曲反射面３ｂからの反射光を反射して照明装置の前下側に照射するための楕円反射面１４ｂがリフレクタ４に形成されている。
【００７９】
詳細には、第５の実施形態の照明装置では、図５および図６（Ｂ）に示すように、双曲反射面３ｂによって反射された光源２からの光の光路が双曲反射面３ｂの焦点Ｆ３ｂ上の仮想光源からの放射光の光路と一致するように光源２および双曲反射面３ｂが配置されている。更に、双曲反射面３ｂの焦点Ｆ３ｂ上またはその近傍に楕円反射面１４ｂの第１焦点Ｆ１４ｂ１が配置されている。
【００８０】
その結果、第５の実施形態の照明装置では、図５および図６（Ｂ）に示すように、光源２が点灯されている時に、光源２の主光軸線ＣＬ２と小さい角度をなして光源２から照射された光が、まず最初に、リフレクタ３の双曲反射面３ｂによって反射される。次いで、リフレクタ４の楕円反射面１４ｂによって反射され、楕円反射面１４ｂからの反射光Ｌ１２１が、照明装置の前下側（図５および図６（Ｂ）の左下側）に照射される。
【００８１】
更に、第５の実施形態の照明装置では、図５および図６（Ｂ）に示すように、光源２が点灯されている時に、光源２の主光軸線ＣＬ２と大きい角度をなして光源２から照射された光が、まず最初に、リフレクタ３の双曲反射面３ｂによって反射される。次いで、リフレクタ４の楕円反射面１４ｂによって反射され、楕円反射面１４ｂからの反射光Ｌ１２２が、照明装置の前下側（図５および図６（Ｂ）の左下側）に照射される。
【００８２】
つまり、第５の実施形態の照明装置では、図５および図６（Ｂ）に示すように、光源２が点灯されている時に、リフレクタ４の楕円反射面１４ｂから照明装置の前下側（図５および図６（Ｂ）の左下側）の楕円反射面１４ｂの第２焦点Ｆ１４ｂ２に集光せしめられる光Ｌ１２１，Ｌ１２２が照射される。
【００８３】
第５の実施形態の照明装置では、図５に示すように、所定の軸線を中心に双曲線を回転させることにより得られる回転双曲面によってリフレクタ３の双曲反射面３ｂが構成されているが、第６の実施形態の照明装置では、代わりに、図５に示す双曲線を図５の手前−奥側方向（図１の左右方向、照明装置の左右方向）にスイープすることにより得られる双曲柱面よってリフレクタ３の双曲反射面３ｂを構成し、複数の光源２を図５の手前−奥側方向（図１の左右方向、照明装置の左右方向）に配列することも可能である。
【００８４】
また、第５の実施形態の照明装置では、図５に示すように、所定の軸線を中心に楕円弧を回転させることにより得られる回転楕円面によってリフレクタ４の楕円反射面１４ｂが構成されているが、第６の実施形態の照明装置では、代わりに、図５に示す楕円弧を図５の手前−奥側方向（図１の左右方向、照明装置の左右方向）にスイープすることにより得られる楕円柱面よってリフレクタ４の楕円反射面１４ｂを構成することも可能である。
【００８５】
また、第５の実施形態の照明装置では、第１モード時に光源１が点灯されると共に、光源２が消灯される。更に、第２モード時に光源１が消灯されると共に、光源２が点灯される。第５の実施形態の照明装置の変形例では、第１モードおよび第２モードの他に、光源１および光源２が共に点灯される第３モードを追加することも可能である。
【００８６】
つまり、第５の実施形態の照明装置では、第１モード時にリフレクタ４の楕円反射面１４ａから照明装置の前側（図６（Ａ）の左側）に集光せしめられる光Ｌ１１１，Ｌ１１２が照射される。また、第２モード時にリフレクタ４の楕円反射面１４ｂから照明装置の前下側（図６（Ｂ）の左下側）に集光せしめられる光Ｌ１２１，Ｌ１２２が照射される。
【００８７】
更に、第５の実施形態の照明装置では、第１モードから第２モードへの切換時に、光源１がターンオフ（点灯→消灯切り換え）されると共に、光源２がターンオン（消灯→点灯切り換え）される。更に、第２モードから第１モードへの切換時に、光源１がターンオン（消灯→点灯切り換え）されると共に、光源２がターンオフ（点灯→消灯切り換え）される。
【００８８】
そのため、第５の実施形態の照明装置によれば、集光せしめられる光Ｌ１１１，Ｌ１１２が第１の方向（照明装置の前側、図６（Ａ）の左側）に照射される第１モードと、集光せしめられる光Ｌ１２１，Ｌ１２２が第１の方向とは異なる第２の方向（照明装置の前下側、図６（Ｂ）の左下側）に照射される第２モードとを瞬時に切り換えることができる。つまり、第５の実施形態の照明装置によれば、第１モード時の配光パターンと、その配光パターンとは異なる第２モード時の配光パターンとを瞬時に切り換えることができる。
【００８９】
以下、本発明の照明装置の第７の実施形態について説明する。第７の実施形態の照明装置は、後述する点を除き、上述した第１の実施形態の照明装置とほぼ同様に構成されている。従って、第７の実施形態の照明装置によれば、後述する点を除き、上述した第７の実施形態の照明装置とほぼ同様の効果を奏することができる。
【００９０】
図７は第７の実施形態の照明装置のランプ部１０１の鉛直断面図である。図８は図７に示す断面内における光路を示した図である。詳細には、図８（Ａ）は例えばチップＬＥＤのような光源１から照射された光Ｌ２１１，Ｌ２１２の光路を示した図、図８（Ｂ）は例えば砲弾型ＬＥＤのような光源２から照射された光Ｌ２２１，Ｌ２２２の光路を示した図である。
【００９１】
第１の実施形態の照明装置では、図３および図４（Ａ）に示すように、リフレクタ３の楕円反射面３ａからの反射光を反射して照明装置の前側（図３および図４（Ａ）の左側）に照射するための放物反射面４ａ１，４ａ２がリフレクタ４に形成されているが、第７の実施形態の照明装置では、図７および図８（Ａ）に示すように、リフレクタ３の楕円反射面３ａからの反射光を反射して照明装置の前側（図７および図８（Ａ）の左側）に照射するための双曲反射面２４ａがリフレクタ４に形成されている。
【００９２】
詳細には、第７の実施形態の照明装置では、図７および図８（Ａ）に示すように、楕円反射面３ａの第１焦点Ｆ３ａ１上またはその近傍に光源１が配置されている。更に、双曲反射面２４ａによって反射された楕円反射面３ａからの反射光の光路が双曲反射面２４ａの焦点Ｆ２４ａ上の仮想光源からの放射光の光路と一致するように、楕円反射面３ａおよび双曲反射面２４ａが配置されている。
【００９３】
その結果、第７の実施形態の照明装置では、図７および図８（Ａ）に示すように、光源１が点灯されている時に、光源１の主光軸線ＣＬ１と小さい角度をなして光源１から照射された光が、まず最初に、リフレクタ３の楕円反射面３ａによって反射され、焦点Ｆ３ａ２上またはその近傍を通過する。次いで、リフレクタ４の双曲反射面２４ａによって反射され、双曲反射面２４ａからの反射光Ｌ２１１が照明装置の前下側（図７および図８（Ａ）の左下側）に照射される。
【００９４】
更に、第７の実施形態の照明装置では、図７および図８（Ａ）に示すように、光源１が点灯されている時に、光源１の主光軸線ＣＬ１と大きい角度をなして光源１から照射された光が、まず最初に、リフレクタ３の楕円反射面３ａによって反射され、焦点Ｆ３ａ２上またはその近傍を通過する。次いで、リフレクタ４の双曲反射面２４ａによって反射され、双曲反射面２４ａからの反射光Ｌ２１２が照明装置の前側（図７および図８（Ａ）の左側）に照射される。
【００９５】
つまり、第７の実施形態の照明装置では、図７および図８（Ａ）に示すように、光源１が点灯されている時に、照明装置の前下側（図７および図８（Ａ）の左下側）に照射される光Ｌ２１１と、照明装置の前側（図７および図８（Ａ）の左側）に照射される光Ｌ２１２とを含む放射光Ｌ２１１，Ｌ２１２がリフレクタ４の双曲反射面２４ａから照射される。
【００９６】
第７の実施形態の照明装置では、図７に示すように、所定の軸線を中心に楕円弧を回転させることにより得られる回転楕円面によってリフレクタ３の楕円反射面３ａが構成されているが、第８の実施形態の照明装置では、代わりに、図７に示す楕円弧を図７の手前−奥側方向（図１の左右方向、照明装置の左右方向）にスイープすることにより得られる楕円柱面よってリフレクタ３の楕円反射面３ａを構成し、複数の光源１を図７の手前−奥側方向（図１の左右方向、照明装置の左右方向）に配列することも可能である。
【００９７】
また、第７の実施形態の照明装置では、図７に示すように、所定の軸線を中心に双曲線を回転させることにより得られる回転双曲面によってリフレクタ４の双曲反射面２４ａが構成されているが、第８の実施形態の照明装置では、代わりに、図７に示す双曲線を図７の手前−奥側方向（図１の左右方向、照明装置の左右方向）にスイープすることにより得られる双曲柱面よってリフレクタ４の双曲反射面２４ａを構成することも可能である。
【００９８】
更に、第１の実施形態の照明装置では、図３および図４（Ｂ）に示すように、双曲反射面３ｂからの反射光を反射して照明装置の前下側に照射するための放物反射面４ｂ１，４ｂ２がリフレクタ４に形成されているが、第７の実施形態の照明装置では、図７および図８（Ｂ）に示すように、双曲反射面３ｂからの反射光を反射して照明装置の前下側に照射するための双曲反射面２４ｂがリフレクタ４に形成されている。
【００９９】
詳細には、第７の実施形態の照明装置では、図７および図８（Ｂ）に示すように、双曲反射面３ｂによって反射された光源２からの光の光路が双曲反射面３ｂの焦点Ｆ３ｂ上の仮想光源からの放射光の光路と一致するように光源２および双曲反射面３ｂが配置されている。更に、双曲反射面２４ｂによって反射された双曲反射面３ｂからの反射光の光路が双曲反射面２４ｂの焦点Ｆ２４ｂ上の仮想光源からの放射光の光路と一致するように双曲反射面３ｂおよび双曲反射面２４ｂが配置されている。
【０１００】
その結果、第７の実施形態の照明装置では、図７および図８（Ｂ）に示すように、光源２が点灯されている時に、光源２の主光軸線ＣＬ２と小さい角度をなして光源２から照射された光が、まず最初に、リフレクタ３の双曲反射面３ｂによって反射される。次いで、リフレクタ４の双曲反射面２４ｂによって反射され、双曲反射面２４ｂからの反射光Ｌ２２１が、照明装置の前下側（図７および図８（Ｂ）の左下側）に照射される。
【０１０１】
更に、第７の実施形態の照明装置では、図７および図８（Ｂ）に示すように、光源２が点灯されている時に、光源２の主光軸線ＣＬ２と大きい角度をなして光源２から照射された光が、まず最初に、リフレクタ３の双曲反射面３ｂによって反射される。次いで、リフレクタ４の双曲反射面２４ｂによって反射され、双曲反射面２４ｂからの反射光Ｌ２２２が、照明装置の前下側（図７および図８（Ｂ）の左下側）に照射される。
【０１０２】
つまり、第７の実施形態の照明装置では、図７および図８（Ｂ）に示すように、光源２が点灯されている時に、リフレクタ４の双曲反射面２４ｂから照明装置の前下側（図７および図８（Ｂ）の左下側）に放射光Ｌ２２１，Ｌ２２２が照射される。
【０１０３】
第７の実施形態の照明装置では、図７に示すように、所定の軸線を中心に双曲線を回転させることにより得られる回転双曲面によってリフレクタ３の双曲反射面３ｂが構成されているが、第８の実施形態の照明装置では、代わりに、図７に示す双曲線を図７の手前−奥側方向（図１の左右方向、照明装置の左右方向）にスイープすることにより得られる双曲柱面よってリフレクタ３の双曲反射面３ｂを構成し、複数の光源２を図７の手前−奥側方向（図１の左右方向、照明装置の左右方向）に配列することも可能である。
【０１０４】
また、第７の実施形態の照明装置では、図７に示すように、所定の軸線を中心に双曲線を回転させることにより得られる回転双曲面によってリフレクタ４の双曲反射面２４ｂが構成されているが、第８の実施形態の照明装置では、代わりに、図７に示す双曲線を図７の手前−奥側方向（図１の左右方向、照明装置の左右方向）にスイープすることにより得られる双曲柱面よってリフレクタ４の双曲反射面２４ｂを構成することも可能である。
【０１０５】
また、第７の実施形態の照明装置では、第１モード時に光源１が点灯されると共に、光源２が消灯される。更に、第２モード時に光源１が消灯されると共に、光源２が点灯される。第７の実施形態の照明装置の変形例では、第１モードおよび第２モードの他に、光源１および光源２が共に点灯される第３モードを追加することも可能である。
【０１０６】
つまり、第７の実施形態の照明装置では、第１モード時にリフレクタ４の双曲反射面２４ａから照明装置の前側（図８（Ａ）の左側）および前下側（図８（Ａ）の左下側）に放射光Ｌ２１１，Ｌ２１２が照射される。また、第２モード時にリフレクタ４の双曲反射面２４ｂから照明装置の前下側（図８（Ｂ）の左下側）に放射光Ｌ２２１，Ｌ２２２が照射される。
【０１０７】
更に、第７の実施形態の照明装置では、第１モードから第２モードへの切換時に、光源１がターンオフ（点灯→消灯切り換え）されると共に、光源２がターンオン（消灯→点灯切り換え）される。更に、第２モードから第１モードへの切換時に、光源１がターンオン（消灯→点灯切り換え）されると共に、光源２がターンオフ（点灯→消灯切り換え）される。
【０１０８】
そのため、第７の実施形態の照明装置によれば、放射光Ｌ２１２が第１の方向（照明装置の前側、図８（Ａ）の左側）に照射される第１モードと、放射光Ｌ２２１，Ｌ２２２が第１の方向とは異なる第２の方向（照明装置の前下側、図８（Ｂ）の左下側）に照射される第２モードとを瞬時に切り換えることができる。つまり、第７の実施形態の照明装置によれば、第１モード時の配光パターンと、その配光パターンとは異なる第２モード時の配光パターンとを瞬時に切り換えることができる。
【０１０９】
第９の実施形態では、上述した第１から第８の実施形態を適宜組み合わせることも可能である。
【産業上の利用可能性】
【０１１０】
本発明の照明装置は、例えば一般照明灯具、遊技機器照明灯具、車両用灯具などのような照明装置に適用可能である。
【図面の簡単な説明】
【０１１１】
【図１】第１の実施形態の照明装置の正面図である。
【図２】第１の実施形態の照明装置の斜視図である。
【図３】図１のＡ−Ａ線に沿ったランプ部１０１の鉛直断面図である。
【図４】図３に示す断面内における光路を示した図である。
【図５】第５の実施形態の照明装置のランプ部１０１の鉛直断面図である。
【図６】図５に示す断面内における光路を示した図である。
【図７】第７の実施形態の照明装置のランプ部１０１の鉛直断面図である。
【図８】図７に示す断面内における光路を示した図である。
【符号の説明】
【０１１２】
１，２                                      光源
３，４                                      リフレクタ
３ａ，３ｂ，４ａ１，４ａ２，４ｂ１，４ｂ２  反射面
１００，１０１，１０２                      ランプ部
【図１】
2009193795.tif 000003
【図２】
2009193795.tif 000004
【図３】
2009193795.tif 000005
【図４】
2009193795.tif 000006
【図５】
2009193795.tif 000007
【図６】
2009193795.tif 000008
【図７】
2009193795.tif 000009
【図８】
2009193795.tif 000010